(57)【要約】      （修正有）【課題】大径メダル及び小径メダルの何れを使用しても遊技が行える遊技機において、小型かつシンプルな構造でメダルの選別を行えるようにする。【解決手段】メダル投入ガイド７１は、所定の直径より小さい小径メダルの使用が選択された場合、大径メダル停止レバー２２０を第１のメダル案内経路２１３に突出させ、大径メダル７０１の使用が選択された場合、大径メダル停止レバー２２０を第１のメダル案内経路２１３から退避させる。フラッパータイプソレノイド１４３は、大径メダル７０１の使用が選択された場合、小径メダルを第２のメダル案内経路３１２から排除する。これにより、一本に続く第１及び第２のメダル案内経路２１３、３１２で大径メダル７０１及び小径メダルの一方を選択して流下させることができるので、小型かつシンプルな構造でメダルの選別を行えるようにする。【選択図】図１３
2009268812.tif 000002
【特許請求の範囲】
【請求項１】
直径が異なる複数種類のメダルを選択的に使用可能であって、選択して使用する直径の適正な前記メダルをメダル収納部に導くメダル選別装置を有する遊技機であって、
前記メダル選別装置は、
メダル投入口から投入された前記メダルを前記メダル収納部に案内するメダル案内経路と、
前記メダル案内経路に突出して所定の直径以上の大径メダルを停止させる大径メダル停止部材と、
前記所定の直径より小さい小径メダルの使用が選択された場合、前記大径メダルを前記メダル案内経路の所定の位置に停止させるとともに、前記小径メダルを通過させるために前記大径メダル停止部材を前記メダル案内経路に突出させ、前記大径メダルの使用が選択された場合、前記大径メダル停止部材を前記メダル案内経路から退避させる大径メダル停止部材駆動手段と、
前記大径メダルの使用が選択された場合、前記小径メダルを前記メダル案内経路から排除する小径メダル排除手段と、
を備えることを特徴する遊技機。
【請求項２】
前記メダル案内経路に接続され、使用が選択されなかった前記メダルを返却口に案内するメダル排除経路を更に備え、
前記小径メダル排除手段は、
前記メダル案内経路と前記メダル排除経路との接続箇所に設けられ、前記メダル案内経路に突出して当該メダル案内経路を通過する前記小径メダルを前記メダル排除経路に排除する小径メダル排除部材と、
前記小径メダルの使用が選択された場合、前記小径メダル排除部材を前記メダル案内経路から退避させ、前記大径メダルの使用が選択された場合、前記小径メダル排除部材を前記メダル案内経路に突出させる小径メダル排除部材駆動手段と、
前記メダル案内経路と前記メダル排除経路との接続箇所に設けられ、前記大径メダルの使用が選択された場合、前記大径メダルの前記メダル排除経路への移動を防止する大径メダル保護部材と、
を備えることを特徴とする請求項１に記載の遊技機。
【請求項３】
前記メダル案内経路に接続されたメダルキャンセル通路を更に備え、
前記小径メダルの使用が選択された場合、前記大径メダル停止部材は、停止させた前記大径メダルを前記メダルキャンセル通路に案内することを特徴とする請求項１または２に記載の遊技機。
【請求項４】
前記大径メダル停止部材による前記大径メダルの停止位置で当該大径メダルが滞留したことを検出する滞留検出センサと、
前記滞留検出センサの出力信号に基づいて、前記大径メダルが滞留した旨を報知する報知手段とを更に備えていることを特徴とする請求項１乃至３のいずれか一つに記載の遊技機。
【発明の詳細な説明】
【技術分野】
【０００１】
本発明は、メダルを使用して遊技が実行されるスロットマシン等の遊技機に関するものである。
【背景技術】
【０００２】
従来、遊技場に設置して使用される回胴式遊技機としてスロットマシンが知られている。
一般的なスロットマシンは、前扉に形成された透明な表示窓を通して筐体内の３列のリールが目視される。各リールの周面には複数種類の図柄が配列されて描かれており、リールを回転させることで遊技の入賞又はハズレに係る図柄が変動表示される。また、スロットマシンには、遊技媒体（メダル）が投入されるメダル投入口と、メダル投入口から投入されたメダルを貯留するクレジット手段と、貯留されているメダルから所定枚数のメダルを賭けてゲームを準備するためのベットボタンと、リールを一斉に回転させるスタートレバーと、回転する各リールを個別に停止させるためのストップボタンが設けられている。前記ベットボタンが押圧操作され、前記スタートレバーが傾倒操作されて回転を開始した前記リールは、前記ストップボタンの押圧操作を契機にそれぞれ制動されて停止する。そして、スロットマシンは、各リールが表示する図柄の組合せが有効ライン上に揃うと入賞が確定し、入賞図柄の組合せに応じた数のメダルを配当する。
【０００３】
また、一般的なスロットマシンには、例えば特許文献１に記載されているように、メダル投入口からメダル通路に投入されたメダルの適否を判別し、遊技機内のメダルタンクへの投入と遊技機外への排出とに振り分けるメダル選別装置（メダルセレクター）が設けられている。このメダル選別装置は、メダル通路を通過するメダルを検出するメダルセンサとして、光学センサ（フォトセンサ）を内蔵している。そして、このメダル選別装置は、ゲームの待機状態等において正規のメダルが投入され、前記光学センサがこのメダルを検出することによって、当該光学センサがメダル投入の受け付けを示す信号をスロットマシンの主制御基板へ送出する。スロットマシンの主制御基板は、メダル投入の受け付けを示す信号によって内部に貯留するメダル（クレジット）を増加させる。
【０００４】
ところで、日本国内でのスロットマシンの遊技には、地域や遊技者の好みに応じて、直径が３０mmのメダル（以下、大径メダルという。）が用いられる場合と、直径が２５mmのメダル（以下、小径メダルという。）が用いられる場合がある。
一方、近年、遊技施設では、貸メダル料金を下げる低貸メダル営業の店が増えてきている。ここで、低貸メダル営業を行う場合には、遊技施設全体を低貸メダル営業するのではなく、コーナーを区切って、遊技料金に差を設けている場合が多い。遊技料金に差を設けた場合には、前記コーナー間でメダルが移動されてしまうと、実際の遊技料金と異なる遊技料金で遊技が行われるという問題があるとともに、遊技メダルの数量に貸メダル料金を乗じた金額と等価の物品を提供することを求める「等価交換の原則」に違反することとなるので問題が多かった。このような問題を解決する方法として、第１の貸メダル料金のコーナーに大径メダル用のスロットマシンのみ配置して大径メダルのみで遊技を行わせ、第２の貸メダル料金のコーナーに小径メダル用のスロットマシンのみ配置して小径メダルのみで遊技を行わせることが考えられている。
【０００５】
一方、従来から用いられているスロットマシンのメダルセレクタは、大径メダルの選別のみ、或いは小径メダルの選別のみが可能であった。したがって、遊技機メーカーは、小径メダル用のスロットマシンと大径メダル用のスロットマシンとを別個に製造していた。このため、遊技機メーカーにとっては、これらのスロットマシンの作り分けが面倒であるという問題があった。
【０００６】
このことに対応して、例えば特許文献２には、大径メダル及び小径メダルの何れを使用しても遊技が行える遊技機の技術が開示されている。
【０００７】
【特許文献１】特開平７−８６００号公報
【特許文献２】特開２００６−２３８９９６号公報
【発明の開示】
【発明が解決しようとする課題】
【０００８】
ところで、従来の大径メダル及び小径メダルの何れを使用しても遊技が行える遊技機の技術では、メダル投入口から投入されたメダルを流下させる受入れ通路を小径メダル用の通路と前記大径メダル用の通路に分岐させるとともに、大径メダル用の通路の下流に大径メダル用のメダルセレクタを設け、小径メダル用の通路の下流に小径メダル用のメダルセレクタを設けているため構造が複雑であり、遊技機の内部部品の数が多なり、遊技機の製造コストが非常に増大するとともに、内部空間でメダルを選別する部品の占める割合が多く、その分ランプやスピーカ等の演出装置を搭載できるスペースが限られていた。
【０００９】
本発明は、こうした従来の問題に鑑みてなされたものであり、直径が異なる複数種類のメダルを選択的に使用可能な遊技機において、小型かつシンプルな構造でメダルの選別を行うことができる遊技機を提供することを目的としている。
【課題を解決するための手段】
【００１０】
上述した課題を解決するため、請求項１に記載の発明は、直径が異なる複数種類のメダルを選択的に使用可能であって、選択して使用する直径の適正な前記メダルをメダル収納部に導くメダル選別装置を有する遊技機であって、前記メダル選別装置は、メダル投入口から投入された前記メダルを前記メダル収納部に案内するメダル案内経路と、前記メダル案内経路に突出して所定の直径以上の大径メダルを停止させる大径メダル停止部材と、前記所定の直径より小さい小径メダルの使用が選択された場合、前記大径メダルを前記メダル案内経路の所定の位置に停止させるとともに、前記小径メダルを通過させるために前記大径メダル停止部材を前記メダル案内経路に突出させ、前記大径メダルの使用が選択された場合、前記大径メダル停止部材を前記メダル案内経路から退避させる大径メダル停止部材駆動手段と、前記大径メダルの使用が選択された場合、前記小径メダルを前記メダル案内経路から排除する小径メダル排除手段と、を備えることを特徴する。
【００１１】
請求項２に記載の発明は、請求項１に記載の遊技機であって、前記メダル案内経路に接続され、使用が選択されなかった前記メダルを返却口に案内するメダル排除経路を更に備え、前記小径メダル排除手段は、前記メダル案内経路と前記メダル排除経路との接続箇所に設けられ、前記メダル案内経路に突出して当該メダル案内経路を通過する前記小径メダルを前記メダル排除経路に排除する小径メダル排除部材と、前記小径メダルの使用が選択された場合、前記小径メダル排除部材を前記メダル案内経路から退避させ、前記大径メダルの使用が選択された場合、前記小径メダル排除部材を前記メダル案内経路に突出させる小径メダル排除部材駆動手段と、前記メダル案内経路と前記メダル排除経路との接続箇所に設けられ、前記大径メダルの使用が選択された場合、前記大径メダルの前記メダル排除経路への移動を防止する大径メダル保護部材と、を備えることを特徴とする。
【００１２】
請求項３に記載の発明は、請求項１または２に記載の遊技機であって、前記メダル案内経路に接続されたメダルキャンセル通路を更に備え、前記小径メダルの使用が選択された場合、前記大径メダル停止部材は、停止させた前記大径メダルを前記メダルキャンセル通路に案内することを特徴とする。
【００１３】
請求項４に記載の発明は、請求項１乃至３のいずれか一つに記載の遊技機であって、前記大径メダル停止部材による前記大径メダルの停止位置で当該大径メダルが滞留したことを検出する滞留検出センサと、前記滞留検出センサの出力信号に基づいて、前記大径メダルが滞留した旨を報知する報知手段とを更に備えていることを特徴とする。
【発明の効果】
【００１４】
本発明によれば、大径メダル及び小径メダルの何れを使用しても遊技が行える遊技機において、一本に続くメダル案内経路で前記大径メダルまたは前記小径メダルの一方を選択してメダル案内経路を流下させることができるので、小型かつシンプルなメダル選別構造を採用でき、メダルを選別する部品の占める割合を低減し、その分ランプやスピーカ等の演出装置を搭載できるスペースを増大させることができる。
【発明を実施するための最良の形態】
【００１５】
以下、本発明に係る遊技機の好適な実施形態を、スロットマシンを例に図面を参照して説明する。
【００１６】
図１は本発明の実施形態によるスロットマシン１の外観構造を表した斜視図である。
図１において、スロットマシン１は、前方に開口を有する略矩形状の箱体である筐体２と、当該筐体２に対して蝶番機構により回動可能に取付けられることで前記開口を開閉可能な状態で閉塞させる前扉３とを備えている。
【００１７】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６１が一体的に形成されたメダル受皿部６が設けられている。
【００１８】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受皿部６は、遊技者側に面し、これらによって「前面パネル部」が構成される。
【００１９】
上部パネル部４の中央には、硬質プラスチック板等で形成されたパネル面４１が設けられている。パネル面４１のほぼ中央には略長方形の透明な表示窓４２が形成されている。スロットマシン１は、このような表示窓４２を通して筐体２内に設けられているリールユニット１００の３個のリール１０１ａ、１０１ｂ、１０１ｃが目視されるようになっている。
【００２０】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できる。
【００２１】
上部パネル部４の上部には、高輝度発光ダイオード等のランプ類を内蔵する演出用照明部４３と、ゲームに係る効果音を発生させるスピーカを内蔵する演出用放音部４４ａ、４４ｂが配置されている。
【００２２】
スロットマシン１は、ゲームの進行に応じて上述した演出用照明部４３等が点灯又は点滅することで、ゲームにおける視覚的な演出効果を高めるように形成されている。
【００２３】
また、演出用放音部４４ａ、４４ｂの間には、透明な硬質プラスチック板等が嵌め込まれて形成された表示窓４５に面して遊技機の演出装置として液晶表示装置４６が配置されている。なお、液晶表示装置４６は、ゲームの演出に係る映像やゲーム（遊技）に関する情報を主に表示する。
【００２４】
操作卓７の上面右側には本実施形態の要部となるメダル投入部７１が設けられている。メダル投入部７１は、メダルを投入するためのメダル投入口７２を有するとともに、メダルキャンセル通路２１０を有する。また、メダル投入部７１は、上流側メダル選別装置としての機能を有している。
操作卓７の上面左側には、押しボタンスイッチである２個のベットボタン７３、７４が設けられている。
【００２５】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、内部貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２６】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作桿を備え、操作桿が傾倒操作されるとオン、操作桿から手が離されるとスプリングの付勢力によって自動的に元の位置に戻ってオフ状態となるスイッチユニットで形成されている。
【００２７】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００２８】
さらに、操作卓７の前面の左隅には、ゲームに賭けられたメダルをキャンセルして払い出させることを指示するとともに、内部貯留したメダルを精算して払い出させることを指示するための精算ボタン７７が設けられている。
【００２９】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって筐体２に取付けられている前扉３を前方へ開くことができ、また前扉３を筐体２側に閉じると、自動的にこれらを施錠するようになっている。
【００３０】
下部パネル部５には、スロットマシン１のモデルタイプを遊技者へ認識させる等のため、登場キャラクターの絵などを表示する表示パネル５１が設けられている。
【００３１】
下部パネル部５の下側に配置されたメダル受皿部６には、入賞時にメダルを払い出すメダル払出口６２と、払い出されたメダルを貯留するメダル受皿６１と、演出効果音を発生させるスピーカを内蔵する左右の演出用放音部６３ａ、６３ｂとが配置されている。
【００３２】
次に、図２を参照して、筐体２の内部構造と前扉３の裏面構造とを説明する。
図２は前扉３を開放した状態におけるスロットマシン１の内部構造を表した図である。
【００３３】
図２において、筐体２の前方には開口８を有している。この開口８内の上部には、左右のブラケット部材８１、８２を介して硬質プラスチックの基板ケース８０に収納された主制御基板２０が取付けられている。主制御基板２０は、スロットマシン１の全体動作を集中制御するＣＰＵを備えている。
【００３４】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取付けられている。なお、各リール１０１ａ、１０１ｂ、１０１ｃは、それぞれに内蔵されたリールモータによって回転駆動される。
【００３５】
また、リールユニット１００の上部には、各リールを回転駆動する前記リールモータへ４相の駆動パルス信号を送出するリール基板１１０が取付けられている。主制御基板２０は、リール基板１１０に回胴駆動（励磁）パルスデータを送出することで、各リールの回転、制動及び停止の制御を行っている。
【００３６】
リールユニット１００の下方には、ホッパ装置２１と、ホッパ装置２１から溢れたメダルを収容するための補助貯留部２２と、電源ユニット２３が設けられている。電源ユニット２３の内部の右側には、いわゆる配電盤に相当する電源装置基板２４が設けられている。
【００３７】
電源ユニット２３は、ハーネスを介してホッパ装置２１及び主制御基板２０等の電気部品と電気的に接続する。また、電源ユニット２３は、前記筐体２の壁面の貫通孔９に挿通された電源コード１０を介して筐体２の外部から電力が供給され、供給された電力から所定の電圧値の電力を生成してホッパ装置２１及び主制御基板２０等の電気部品に供給する。ホッパ装置２１の前面には、メダルを排出するメダル排出口２５が設けられている。ホッパ装置２１の上部にはメダルを貯留するメダル収納部２６が設けられている。
【００３８】
更に、筐体２の上部右側の内壁に、遊技場に設置されている「ホールコンピュータ」と呼ばれる管理用コンピュータと接続可能な外部集中端子板２７が取付けられている。
【００３９】
一方、前扉３の裏面側上部には、発光駆動部３０が配置されている。発光駆動部３０は、上述の演出用照明部４３（図１参照）の光源である高輝度の発光ダイオードが複数配列され、この発光ダイオードを発光駆動する駆動回路が実装されている。
【００４０】
また、前扉３の裏面側上部には、上述の演出用放音部４４ａ、４４ｂ（図１参照）に対向してスピーカ３２ａ、３２ｂが取付けられている。また、スピーカ３２ａ、３２ｂの間には、液晶表示装置４６が取付けられている。更に、液晶表示装置４６の裏面側には、電気回路基板で形成され硬質プラスチックの基板ケース９０に収納されたサブ制御基板４０が取付けられている。
【００４１】
主制御基板２０及びサブ制御基板４０は、スロットマシン１の作動を制御する制御基板である。
【００４２】
サブ制御基板４０の下方には、リール１０１ａ、１０１ｂ、１０１ｃを目視させるための透明な表示窓４２が形成されたパネル板４７が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４３】
中央表示基板３３には、使用するメダルの種類を切り換えるためのメダル切換スイッチ８３が設けられている。
【００４４】
中央表示基板３３の下方には、保持具８４が取付けられており、この保持具８４によって下流側メダル選別装置３４が取付けられている。
下流側メダル選別装置３４は、メダル投入口７２に投入されたメダルの適否を判別し振り分ける装置である。また、下流側メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４５】
下流側メダル選別装置３４の装置本体の下方には、下流側メダル選別装置３４によって振り分けられた正規のメダルを筐体２内に設けられているホッパ装置２１へ案内するガイド部材３５と、下流側メダル選別装置３４により排除されたメダル（又は異物）をメダル払出口６２へ案内するキャンセルシュート部材３６が設けられている。また、前扉３の裏面側下部には、ホッパ装置２１のメダル排出口２５から排出されたメダルをメダル払出口６２へ案内するガイド部材３７が設けられている。更に、メダル払出口６２に隣接して、上述した演出用放音部６３ａ、６３ｂ（図１参照）に対向するスピーカ３８ａ、３８ｂが取付けられている。
【００４６】
なお、スロットマシン１全体の動作は、筐体２側に設けられている主制御基板２０によって統括制御されており、サブ制御基板４０は、液晶表示装置４６による演出映像の表示制御、上述の演出用照明部４３の発光駆動部３０を用いた演出発光制御、及び演出用放音部４４ａ、４４ｂ、６３ａ、６３ｂのスピーカ３２ａ、３２ｂ、３８ａ、３８ｂを使った演出効果音制御など、ゲームの演出に係る制御を主に行っている。
【００４７】
次に、図３のブロック図を参照して、スロットマシン１に設けられている制御システムについて説明する。
【００４８】
図３はスロットマシン１の制御システムを表したブロック図である。
図３において、主制御基板２０は、メインＣＰＵ１２０と、記憶部１２１と、Ｉ／Ｆ回路１２２と、ソレノイド駆動回路１２３と、モータ駆動回路１２４を主要構成として備えている。
【００４９】
記憶部１２１は、ＲＯＭ、ＲＡＭ等の半導体メモリによって構成され、主要構成としてプログラムＲＯＭ１３１と制御ＲＡＭ１３２を有している。記憶部１２１のプログラムＲＯＭ１３１には、スロットマシンゲーム用のシステムプログラムが予め記憶されている。主制御基板２０は、記憶部１２１のプログラムＲＯＭ１３１に記憶されたシステムプログラムに従ってメインＣＰＵ１２０が演算処理を実行することで、スロットマシン１全体の動作を統括制御している。また、主制御基板２０は、スロットマシン１が内部貯留するメダルの数であるメダルクレジットを記憶部１２１の制御ＲＡＭ１３２に記憶させる。
【００５０】
主制御基板２０のメインＣＰＵ１２０には、中央表示基板３３及びＩ／Ｆ回路１２２を介してベットボタン７３、７４、スタートレバー７５、ストップボタン７６ａ、７６ｂ、７６ｃ、精算ボタン７７等の操作スイッチ類が接続されるとともに、中央表示基板３３及びＩ／Ｆ回路１２２を介して下流側メダル選別装置３４のメダルセンサ１４１、メダル投入部７１のレバー検出センサ２１５及び滞留検出センサ２１６が接続されている。また、主制御基板２０のメインＣＰＵ１２０には、Ｉ／Ｆ回路１２２を介してソレノイド駆動回路１２３及びモータ駆動回路１２４の入力側が接続されている。ソレノイド駆動回路１２３の出力側には、中央表示基板３３を介して下流側メダル選別装置３４のフラッパータイプソレノイド１４２、１４３が接続されている。モータ駆動回路１２４の出力側には、中央表示基板３３を介してメダル投入部７１のモータ２２１が接続されている。
【００５１】
また、主制御基板２０には、電源装置基板２４が接続されている。電源装置基板２４は、主制御基板２０のメインＣＰＵ１２０からＩ／Ｆ回路１２２を介して送信されるコマンドデータに基づいてメダル払出装置であるホッパ装置２１を駆動する。
【００５２】
フラッパータイプソレノイド１４２、１４３は、下流側メダル選別装置３４に流下するコインを強制排除する場合に用いられる後述の第１及び第２のメダルブロッカ２５１、４５１(図７参照)を駆動するためのものである。メインＣＰＵ１２０は、主制御基板２０に設けられたソレノイド駆動回路１２３を制御することでフラッパータイプソレノイド１４２、１４３のオン、オフを行う。
【００５３】
メダル投入部７１のモータ２２１は、使用するメダルの種類を切り換え及びメダル投入部７１に滞留した大径メダルを前記メダルキャンセル通路２１０(図１参照)に案内する場合に後述の大径メダル停止レバー２２０(図５参照)を駆動するためのものである。メインＣＰＵ１２０は、主制御基板２０に設けられたモータ駆動回路１２４を制御することで大径メダル停止レバー２２０(図５参照)を回動させる。
【００５４】
主制御基板２０のメインＣＰＵ１２０は、前記操作スイッチ類や下流側メダル選別装置３４のメダルセンサ１４１からの出力信号によりゲームに係る操作を検出する。
【００５５】
また、主制御基板２０のメインＣＰＵ１２０は、動作モードがメダルベット待機状態となっている場合において、メダルセンサ１４１がメダルを検出した場合、検出したメダルをゲームの賭数に加算する。
【００５６】
また、主制御基板２０のメインＣＰＵ１２０は、動作モードがメダルクレジット入力待機状態となっている場合において、メダルセンサ１４１がメダルを検出した場合、検出したメダルを制御ＲＡＭ１３２が記憶するメダルクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、制御ＲＡＭ１３２の前記クレジット数が最大値（例えば、５０）になるまでの状態のことを示している。
【００５７】
一方、左中右のリール１０１ａ、１０１ｂ、１０１ｃには、リールセンサ１０３ａ、１０３ｂ、１０３ｃが設けられている。
【００５８】
主制御基板２０のメインＣＰＵ１２０は、リール基板１１０及びＩ／Ｆ回路１２２を介してリールセンサ１０３ａ、１０３ｂ、１０３ｃの検出信号を受信し、各リールの基準となる回転位置を把握しながら、Ｉ／Ｆ回路１２２を介してリール基板１１０に所定の回胴駆動パルスデータを送信する。リール基板１１０は、主制御基板２０からの回胴駆動パルスデータに従って左中右のリールモータ１０２ａ、１０２ｂ、１０２ｃを回転駆動することで、各リール１０１ａ、１０１ｂ、１０１ｃの回転及び停止の動作制御を行っている。
【００５９】
主制御基板２０のメインＣＰＵ１２０は、Ｉ／Ｆ回路１２２及びリール基板１１０を介して外部集中端子板２７と接続しており、外部集中端子板２７にメダル払出信号等の遊技情報に関する信号と、払出エラー信号等のセキュリティーに関係する信号を送信する。
【００６０】
また、主制御基板２０のメインＣＰＵ１２０は、入賞が確定した場合等において、Ｉ／Ｆ回路１２２及び電源装置基板２４を介してホッパ装置２１を制御することで、所定数のメダルをメダル受皿６１（図１参照）に払い出す。
【００６１】
さらに、主制御基板２０のメインＣＰＵ１２０は、精算ボタン７７が操作された場合、ゲームに賭けられたメダルをキャンセルしてホッパ装置２１に払い出させるとともに、制御ＲＡＭ１３２が内部貯留したメダルであるメダルクレジットを精算してホッパ装置２１に精算前のクレジット数のメダルを払い出させる。
【００６２】
サブ制御基板４０は、主制御基板２０からの制御信号に基づいて演出用照明部４３（図１参照）、演出用放音部４４ａ、４４ｂ、６３ａ、６３ｂ（図１参照）のスピーカ３２ａ、３２ｂ、３８ａ、３８ｂ（図２参照）、液晶表示装置４６（図１参照）等の演出装置５０を制御駆動することで、遊技者の視覚や聴覚に訴える演出をゲームの進行に応じて行っている。
【００６３】
一方、記憶部１２１の制御ＲＡＭ１３２には、内部当選した入賞役に対応するフラグを記憶する内部抽選フラグ記憶領域が設定されている。
【００６４】
メインＣＰＵ１２０は、Ｉ／Ｆ回路１２２を介して受信するスタートレバー７５の出力信号が当該スタートレバー７５の操作を示すことを契機に入賞役またはハズレを抽選する。そして、メインＣＰＵ１２０は、入賞役に当選した場合、記憶部１２１の内部抽選フラグ記憶領域における当選した入賞役のフラグをオンにする。ここでは、かかる入賞役の抽選方法を「内部抽選」と呼んでいる。
【００６５】
次に、スロットマシン１におけるゲーム動作の概要を説明する。
【００６６】
スロットマシン１は、先のゲームにおいて入賞しメダルの配当が完了した時、又は先のゲームにおいてハズレが確定すると待機状態となる。次に、遊技者がメダル投入ガイド７１のメダル投入口７２にメダルを投入し、もしくは、ベットボタン７３を三回押圧操作するかベットボタン７４を一回押圧操作することで、スロットマシン１は、内部に貯留したメダル（クレジット）から当該ゲームに所定枚数（例えば、３枚）のメダルが賭けられゲームを準備する。
【００６７】
ゲーム準備の状態でスタートレバー７５が傾動操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ記憶領域に記憶される。
【００６８】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ記憶領域に記憶された内部抽選の入賞役に係る図柄の組合せとが一致しているかどうか判定する。
【００６９】
これら図柄の組合せが一致し役への入賞が確定すると、スロットマシン１は、主制御基板２０により制御ＲＡＭ１３２の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６１へ払い出す。
【００７０】
図４は、図１に示したメダル投入部７１の前方右斜め上側から見た斜視図である。
図４において、メダル投入部７１は、例えば亜鉛合金の鋳造で形成された本体部２０１の背面に背面蓋部２０２（後述の図６参照）をネジ止めして組み立てたものである。
【００７１】
本体部２０１の背面側には、背面側板状部２０３が操作卓７の上面に対して直立して形成されている。本体部２０１の上部の背面側板状部２０３の前方には、複数枚のメダルを厚み方向に積層して背面板側へ移動可能にしたガイド部２０４が形成されている。
【００７２】
これらガイド部２０４と背面側板状部２０３との間にはメダルの厚みよりも若干広い隙間２０５が形成されており、この隙間２０５の上部は、メダル投入口７２になっている。
【００７３】
前扉３（図１参照）の正面側から見たガイド部２０４の右側には、当該右側延設部２０６が右側に延出して形成されている。右側延設部２０６の上部と背面側板状部２０３との間にはメダルの厚みよりも若干広い隙間２０７が形成されている。
右側延設部２０６の下部には、キャンセル経路形成部２０８が形成されている。
キャンセル経路形成部２０８と背面蓋部２０２との間にはメダルの厚みよりも若干広い隙間２０９が形成されている。
【００７４】
隙間２０７、２０９は、メダルキャンセル通路２１０を形成している。
メダルキャンセル通路２１０の底面は、前扉３（図１参照）の正面側から見て右側が下方になるように傾斜して形成されている。
【００７５】
本体部２０１の下側には、メダルを下方に案内するための案内経路形成部２１１が下方に突出して設けられている。案内経路形成部２１１には、背面蓋部２０２とメダルの厚みよりも若干広い隙間２１２を介して対向する面が形成されている。
【００７６】
これら背面蓋部２０２と案内経路形成部２１１との隙間２１２の上部は、隙間２０５を介してメダル投入口７２に繋がる。このメダル投入口７２と隙間２０５、２１２はメダルを下方に案内する一本の第１のメダル案内経路２１３を形成している。第１のメダル案内経路２１３の左右の幅は、約３１mmに形成されている。
【００７７】
図５は、メダル投入部７１の後方左斜め下側から見た斜視図である。
図５において、本体部２０１の背面には、ネジ止め用の段部２１８が形成されており、段部２１８には、背面蓋部２０２がネジ２１９、２１９によるネジ止めにより固定されている。
【００７８】
背面蓋部２０２の背面には、レバー駆動ユニット２１４、レバー検出センサ２１５及び滞留検出センサ２１６がネジ止めにより取付固定されている。
【００７９】
レバー駆動ユニット２１４は、第１のメダル案内経路２１３の上部の裏側に配置している。レバー検出センサ２１５は、前扉３（図１参照）の正面側から見てレバー駆動ユニット２１４の左下寄りに配置している。滞留検出センサ２１６は、レバー駆動ユニット２１４の下方に配置している。
【００８０】
レバー駆動ユニット２１４は、モータ２２１とギアボックス２２２とから構成されている。
【００８１】
ギアボックス２２２は、正面側が背面蓋部２０２の背面に接触した状態で背面蓋部２０２にネジ止めされる。ギアボックス２２２の背面側には、モータ２２１が取付けられている。モータ２２１には、ハーネス２２３の一端が接続されている。モータ２２１は、ステッピングモータを採用しており、主制御基板２０から中央表示基板３３及びハーネス２２３を介して供給されるパルス電力によって回転軸を回転させる。
【００８２】
モータ２２１の回転軸からの動力は、ギアボックス２２２の減速ギアを介して回転軸２２４に伝達する。背面蓋部２０２には、回転軸２２４が挿通される貫通孔２２５が形成されている。一方、前扉３の正面側から見て第１のメダル案内経路２１３の左隣には、大径メダル停止レバー２２０が収納可能な隙間２２６が形成されている。回転軸２２４の先端側は、貫通孔２２５を介して隙間２２６内に突出して大径メダル停止レバー２２０と接続固定している。
【００８３】
大径メダル停止レバー２２０は、回転軸２２４が取付られる軸取付部２３１と、メダルを係止する係止部２３２と、回動位置検出用の突起部２３３とを一体形成したものである。
【００８４】
軸取付部２３１は、小径のリング状に形成され、その中心に形成された貫通孔２３０に回転軸２２４が取付固定されている。
【００８５】
軸取付部２３１の外周には、係止部２３２と突起部２３３が延出して形成されている。
【００８６】
係止部２３２は、メダルの係止に適するように軸取付部２３１から先端側に向けて幅広となる略直角三角形の形状に形成されている。突起部２３３は、正面側から見て回転軸２２４を中心として係止部２３２から９０°程度右回りに回転した方向に形成されている。
【００８７】
レバー検出センサ２１５は、反射式のフォトセンサで構成されており、背面蓋部２０２に形成された貫通孔２３４を介して大径メダル停止レバー２２０の突起部２３３の位置検出を行う。レバー検出センサ２１５の検出結果はハーネス２２７及び中央表示基板３３を介して主制御基板２０に送信される。
【００８８】
大径メダル停止レバー２２０の突起部２３３は、係止部２３２が第１のメダル案内経路２１３に約５mm突出した位置でレバー検出センサ２１５に検出される。
【００８９】
滞留検出センサ２１６は、反射式のフォトセンサで構成されており、背面蓋部２０２に形成された貫通孔２３５を介して第１のメダル案内経路２１３内を滞留または流下するメダルの検出を行う。
【００９０】
滞留検出センサ２１６の検出結果はハーネス２２８及び中央表示基板３３（図２参照）を介して主制御基板２０に送信される。
【００９１】
前扉３（図１参照）の正面側から見て案内経路形成部２１１の下面の左側には、ネジ止め部２３６が形成されている。
前扉３（図１参照）の正面側から見てキャンセル経路形成部２０８の下面の右側には、ネジ止め部２３７が形成されている。
【００９２】
ネジ止め部２３６、２３７は、メダル投入部７１を前扉３（図２参照）の裏面側からネジ止め固定するためのものである。
メダル投入部７１を前扉３に取り付けた状態では、レバー駆動ユニット２１４、レバー検出センサ２１５及び滞留検出センサ２１６が、前扉３（図１参照）のパネル面４１（図１参照）に形成された切り欠きに挿入され、キャンセル経路形成部２０８、案内経路形成部２１１及び背面蓋部２０２の下部が、操作卓７（図１参照）の上面の前扉３の正面側から見て右側に形成された貫通口に挿入される。
【００９３】
図６はメダル投入部７１の右側から見た断面図である。
図６において、メダル投入部７１の第１のメダル案内経路２１３を形成するメダル投入口７２、隙間２０５、２１２は、垂直方向に繋がっており、直径が３０mmの大径メダルと直径が２５mmの小径メダルの双方が通過可能になっている。隙間２１２の左奥には、大径メダル停止レバー２２０が配置されている。
【００９４】
以下、下流側メダル選別装置３４について詳細に説明する。
図７は、下流側メダル選別装置３４の分解斜視図である。
図７において、下流側メダル選別装置３４は、硬質プラスチックにより一体形成したケース３０１と、金属板から成るゲートプレート３０２と、合成樹脂で形成されケース３０１の略下半分を開閉可能に覆うカバー３０３とを主要構造としている。
【００９５】
ケース３０１は、背面側が開口した箱型に形成されており、若干縦長の四角形に形成された部品取付部４００の背面側に左右及び上側に壁部４０１、４０２、４０３を有する。ゲートプレート３０２は、ケース３０１に対して回動することでケース３０１の背面の上半分を露出及び遮蔽可能な状態で取付けられている。
図８は、下流側メダル選別装置３４からカバー３０３を取り外した状態の左後方斜め上側から見た斜視図である。
【００９６】
図８において、左側壁部４０１の上部及び下部における前寄りの位置には、それぞれ保持具８４（図３参照）と係合する突起部４１１、４１２が側方に突出して形成されている。突起部４１１、４１２は、保持具８４に下流側メダル選別装置３４を取付るためのものである。
図９は、下流側メダル選別装置３４を組み立てた状態の右後方斜め上側から見た斜視図である。
図９において、右側壁部４０２の上部及び下部における前寄りの位置には、保持具８４（図３参照）と係合する突起部４２１、４２２が側方に突出して形成されている。突起部４２１、４２２は、保持具８４に下流側メダル選別装置３４を取付るためのものである。
【００９７】
図１０は、下流側メダル選別装置３４のケース３０１の背面図である。
図１０において、ケース３０１の部品取付部４００の壁面は、略上半分の領域を占める案内面部４３１と、案内面部４３１下端の斜めの折曲部４３２から左下奥へ向かう勾配を有する傾斜面部４３３と、傾斜面部４３３下端の斜めの折曲部４３４から下方に延出する垂直面部４３５から構成される。
【００９８】
尚、案内面部４３１の背面側の大径メダルや小径メダルに接触する面は、意図しない小径メダルの脱落を防止するため、若干斜め上方に向いて形成されている。
【００９９】
前扉３の正面側から見た案内面部４３１の右側部には、フラッパータイプソレノイド１４２が設けられている。
【０１００】
以下、フラッパータイプソレノイド１４２について詳細に説明する。
図７において、フラッパータイプソレノイド１４２は、電磁石２５３を設けたソレノイド本体２５０と、メダルブロッカ２５１と、コイルバネ２５２とから構成される。
【０１０１】
ソレノイド本体２５０は、略コ字形状のプレート部材２５４の正面側の平面部２５５に電磁石２５３を取付けたものである。電磁石２５３は、電磁コイル２５６とボビン２５７と鉄芯２５８とから構成される。ボビン２５７には、電磁コイル２５６が巻き付けられている。ボビン２５７の中心には鉄芯２５８が嵌入されている。ボビン２５７の正面にはメダルブロッカ２５１を回動の範囲を規制するための左右の突起部２５９、２５９が設けられている。
【０１０２】
プレート部材２５４の平面部２５５の一方の短辺には、背面側に折曲する折曲部を介して前扉３の正面側から見て左側の平面部２６１が一体的に設けられている。前扉３の正面側から見て左側の平面部２６１の正面側は、側方に折曲されてネジ止め部２６２が形成されている。ネジ止め部２６２は、ネジ２８１、２８１によりケース３０１の案内面部４３１の正面側にネジ止めされる。
【０１０３】
正面側の平面部２５５の他方の短辺には、背面側に折曲する折曲部を介して前扉３の正面側から見て右側の平面部２６３が一体的に設けられている。前扉３の正面側から見て右側の平面部２６３の正面側には、フック２７１が設けられている。右側の平面部２６３の背面側には、一対の突起部２７２、２７２が設けられている。
【０１０４】
図１１はフラッパータイプソレノイド１４２及びその周辺部の分解斜視図である。
【０１０５】
図１１において、メダルブロッカ２５１は、金属板を折り曲げて形成されたものであり、長手方向の基端側には、フック２７３が形成されている。
【０１０６】
メダルブロッカ２５１の側辺の基端側寄りには、プレート部材２５４の一対の突起部２７２、２７２が挿入される一対の切り欠き２７５、２７５が形成されている。一対の切り欠き２７５、２７５より基端側は、メダルブロッカ２５１の回動を規制する規制片２７６、２７６になっている。
【０１０７】
メダルブロッカ２５１の背面側には、規制爪部２７７が後述の第２のメダル案内経路３１２（図１３参照）へ突出する側に向けて延出して形成されている。規制爪部２７７は、長手方向が後述の第２のメダル案内経路３１２（図１３参照）と略平行になるように設けられている。また、規制爪部２７７は、第２のメダル案内経路３１２の上流側隅部が斜めに切除された形状に形成されている。
【０１０８】
一方、ケース３０１の案内面部４３１の正面側には、二つのネジ止め部４４２、４４２が形成されている。ネジ止め部４４２、４４２は突起状に形成されている。ネジ止め部４４２、４４２は、先端面から後方に向けてネジ穴が形成されている。
【０１０９】
ソレノイド本体２５０のネジ止め部２６２には、二つのネジ挿通孔２６４、２６４が形成されている。二つのネジ２８１、２８１は、ソレノイド本体２５０のネジ止め部２６２の二つのネジ挿通孔２６４、２６４に挿入し、ケース３０１の案内面部４３１の二つのネジ止め部４４２、４４２のネジ穴に螺入して締め付けられることでソレノイド本体２５０のネジ止め部２６２を案内面部４３１の二つのネジ止め部４４２、４４２にネジ止め固定する。
【０１１０】
ケース３０１の案内面部４３１には、メダルブロッカ２５１の規制爪部２７７が挿通されるスリット４４３が形成されている。
【０１１１】
図１２はフラッパータイプソレノイド１４２及びその周辺部の斜視図である。
【０１１２】
図１２において、ソレノイド本体２５０のネジ止め部２６２を案内面部４３１の二つのネジ止め部４４２、４４２にネジ止め固定した状態では、メダルブロッカ２５１の規制爪部２７７はスリット４４３に挿入され、後述の第２のメダル案内経路３１２（図１３参照）へ突出及び第２のメダル案内経路３１２（図１３参照）から退避可能な状態になる。
【０１１３】
一方、図７において、案内面部４３１の上側中央部には、前方に向けて凹む収納部４４０が設けられている。収納部４４０には、フラッパータイプソレノイド１４３が収納される。フラッパータイプソレノイド１４３は、ネジ４４１により収納部４４０の奥面にネジ止め固定される。
【０１１４】
以下、フラッパータイプソレノイド１４３について詳細に説明する。
【０１１５】
フラッパータイプソレノイド１４３は、電磁石４５３を設けたソレノイド本体４５０と、メダルブロッカ４５１と、コイルバネ４５２とから構成される。
【０１１６】
ソレノイド本体４５０は、略Ｌ字形状のプレート部材４５４の一方の平面部４５５に電磁石４５３を取付けたものである。電磁石４５３は、電磁コイル４５７とボビン４５８と鉄芯４５９とから構成される。ボビン４５８には、電磁コイル４５７が巻き付けられている。ボビン４５８の中心には鉄芯４５９が嵌入されている。ボビン４５８の正面にはメダルブロッカ４５１を回動の範囲を規制するための左右の突起部４６０、４６０が設けられている。
【０１１７】
他方の平面部４５６の正面側には、フック４６１が設けられている。他方の平面部４５６の正面側には、左右の突起部４６２、４６２が設けられている。
【０１１８】
メダルブロッカ４５１は、金属板を折り曲げて形成されたものであり、長手方向の基端側には、フック４６３が形成されている。
【０１１９】
メダルブロッカ４５１の側辺の基端側寄りには、プレート部材４５４の左右の突起部４６２、４６２が挿入される左右の切り欠き４６５、４６５が形成されている。左右の切り欠き４６５、４６５より基端側は、メダルブロッカ４５１の回動を規制する規制片４６６、４６６になっている。
【０１２０】
メダルブロッカ４５１の先端側には、規制爪部４６７が後述の第２のメダル案内経路３１２（図１３参照）へ突出する側に向けて延出して形成されている。
【０１２１】
また、ケース３０１の案内面部４３１の収納部４４０より前扉３の正面側から見て左側には、開口４７０が形成されている。開口４７０には、メダルの通過を検出するメダルセンサ１４１が設けられている。メダルセンサ１４１は、第１及び第２の反射式フォトセンサ４７１、４７２を有して形成されている。
【０１２２】
ゲートプレート３０２は、当該ケース３０１に対して開閉可能に取付けられケース３０１の略上半分を覆う金属板から形成される。
このゲートプレート３０２は、金属板で形成された本体５０１の正面側から見た左方端部において軸部５０２を有し、軸部５０２によりケース３０１に軸支されている。この軸部５０２には、コイルバネ５０３が巻回されている。
【０１２３】
また、ゲートプレート３０２の本体５０１の背面には、金属製のスイングレバー５０４と、合成樹脂製の案内レバー５０５と、コイルバネ５０６、５０７とが取付けられている。
【０１２４】
スイングレバー５０４は、本体５０１の背面の上部に回動自在に軸支されている。コイルバネ５０６は、スイングレバー５０４を正面側から見て左回転方向へ常時付勢する。スイングレバー５０４の先端は、前方に向けて折り曲げられて爪部５０８が形成され、爪部５０８が本体５０１に形成された開口５０９を介して本体５０１の正面側に突出する。
【０１２５】
案内レバー５０５は、ゲートプレート３０２の本体５０１に対して回動自在に軸支されその軸部５１０に巻回されたコイルバネ５０７によって常時メダルブロッカ４５１側へ付勢される。
【０１２６】
図１３は、メダル投入部７１及び下流側メダル選別装置３４の一部切り欠いて示す背面図である。
【０１２７】
図１３において、ゲートプレート３０２は、正面側から見た左方端部においてケース３０１に軸支され、軸部５０２に巻回されたコイルバネ５０３によって、常時、ケース３０１側へ付勢されている。
【０１２８】
ゲートプレート３０２がケース３０１の案内面部４３１と対向することで、ゲートプレート３０２の背面とケース３０１の案内面部４３１との間隙には、メダル入口３１１、及びメダル入口３１１から左下方のメダル出口３１３（図８参照）へ向かう第２のメダル案内経路３１２が形成されている。
【０１２９】
前記第２のメダル案内経路３１２においては、ゲートプレート３０２の下端部分がケース３０１側へ向けて折り曲げられて直線状の転送レール部５１１が形成されている。転送レール部５１１は、前記第２のメダル案内経路３１２を流下するメダルの外周を斜め下側から支持するものであり、ケース３０１の折曲部４３２（図７参照）と平行に配置し、且つ、折曲部４３２よりも若干下方に位置している。これにより、転送レール部５１１とケース３０１の傾斜面部４３３との間に隙間が生じ、メダル排除口３２１が形成されている。
【０１３０】
第２のメダル案内経路３１２の上流側には、メダル入口３１１に投入されたメダルが正規のものか否かを判別するセレクト機構３２２が設けられている。より詳細には、セレクト機構３２２は、規定以上の外径を有するメダルを排除する最大径規制手段と、規定以上の厚みを有するメダルを排除する板厚規制手段と、前記大径メダルの使用が選択された場合、規定以下の外径を有するメダルを排除する大径メダル対応最小径規制手段とを備え構成されている。
【０１３１】
セレクト機構３２２の最大径規制手段は、メダル入口３１１付近において、ゲートプレート３０２の背面からケース３０１の案内面部４３１へ向けて突設された一対の外径規制爪５１２、５１３により形成されている。外径規制爪５１２、５１３の間隔は、正規のメダルの外径にその寸法公差を考慮した最大外径相当の幅に設定されている。このため、規定以上の外径を有するメダルが最大径規制手段に投入されると、外径規制爪５１２、５１３によって下方への落下が阻止される。
【０１３２】
セレクト機構３２２の板厚規制手段は、ケース３０１の案内面部４３１に設けられゲートプレート３０２側へ突出するシックネススクリュ４３９により形成されている。シックネススクリュ４３９の先端からゲートプレート３０２の背面までの間隙は正規のメダルの最大厚さに設定されている。このため、規定以上の厚みを有するメダルが板厚規制手段に投入されると、シックネススクリュ４３９により下方への落下が阻止される。
【０１３３】
セレクト機構３２２の大径メダル対応最小径規制手段は、ケース３０１の正面側に設けられたフラッパータイプソレノイド１４２と、転送レール部５１１と、第２のメダル案内経路３１２に沿ってゲートプレート３０２に形成された切欠き５１４と、傾斜壁部５１５と、案内面部５１６と、切欠き５１４の上部に形成されたレール状の大径メダル摺接部５２０とから主に形成されている。
【０１３４】
傾斜壁部５１５は、切欠き５１４が形成された部分の側壁であって図面手前側（メダルの転送方向に対して外方側）に傾斜する。
転送レール部５１１から大径メダル摺接部５２０の下端までの距離は、正規の大径メダルの外径より短く且つ正規の小径メダルの外径より長く形成されている。
転送レール部５１１と傾斜壁部５１５の間の案内面部５１６は、ケース３０１の案内面部４３１と同様に背面側から見て若干斜め上方に向いて形成されている。
【０１３５】
図１２において、フラッパータイプソレノイド１４２のメダルブロッカ２５１は、ケース３０１の背面側に固着されたプレート部材２５４に回動自在に支承されコイルバネ２５２の引張り力により規制爪部２７７が図１３に示す第２のメダル案内経路３１２内へ突出する側へ常時付勢される。
【０１３６】
フラッパータイプソレノイド１４２の電磁石２５３は、図３に示す主制御基板２０からの制御信号に従ってオンオフし、オンすることで生じる磁力により前記メダルブロッカ２５１を引き付けその規制爪部２７７を図１３に示す第２のメダル案内経路３１２から退避させる。ここで、スロットマシン１において、前記大径メダルの使用が選択された場合、電磁石２５３はオフの状態にあり、前記小径メダルの使用が選択された場合、電磁石２５３はオンの状態にある。
【０１３７】
これにより、スロットマシン１において、前記大径メダルの使用が選択された場合、メダルブロッカ２５１の規制爪部２７７がケース３０１に形成されたスリット４４３を通して第２のメダル案内経路３１２内へ突出する。この状態において、小径メダルがセレクト機構３２２に投入されると、当該メダルはメダルブロッカ２５１の規制爪部２７７に衝突してゲートプレート３０２の傾斜壁部５１５へ倒され、転送レール部５１１から脱落する。これにより、当該メダルはメダル排除口３２１を介して下方へ排除される。
【０１３８】
また、スロットマシン１において、前記大径メダルの使用が選択された状態で大径メダルがセレクト機構３２２に投入されると、メダルブロッカ２５１により当該メダルが傾斜壁部５１５へ押されるが、メダルの上端側は大径メダル摺接部５２０に支えられ、メダルの下端側は案内面部５１６に支えられるので、当該大径メダルは、倒されることなく、セレクト機構３２２の転送レール部５１１を脱落することなく通過する。
【０１３９】
また、スロットマシン１において、前記小径メダルの使用が選択された場合、メダルブロッカ２５１の規制爪部２７７が第２のメダル案内経路３１２から退避する。この状態において、小径メダルがセレクト機構３２２に投入されると、小径メダルはセレクト機構３２２の転送レール部５１１を脱落することなく通過する。
【０１４０】
また、セレクト機構３２２の中間部におけるゲートプレート３０２のメダル入口３１１付近には、速度緩和機構３３１が設けられている。速度緩和機構３３１は、前述のスイングレバー５０４とコイルバネ５０６とを備え構成されている。
【０１４１】
スイングレバー５０４の先端の爪部５０８は、ゲートプレート３０２の開口５０９を通して第２のメダル案内経路３１２内まで突出している。
【０１４２】
すなわち、速度緩和機構３３１は、セレクト機構３２２内の第２のメダル案内経路３１２を落下するメダルに対してスイングレバー５０４の先端の爪部５０８が衝突し、スイングレバー５０４が当該メダルと当接しながら前記コイルバネの付勢力に抗して回動することで、当該メダルの落下速度を緩和するように構成されている。
【０１４３】
第２のメダル案内経路３１２の中流部分には、第２のメダル案内経路３１２により転送されるメダルをメダル排除口３２１から落下させて強制的に排除する機能を有するゲート機構３３２が設けられている。このゲート機構３３２は、フラッパータイプソレノイド１４３と、案内レバー５０５とを備え構成されている。
【０１４４】
フラッパータイプソレノイド１４３のメダルブロッカ４５１は、図７に示すケース３０１の背面側に固着された略Ｌ字形状のプレート部材４５４の先端に回動自在に支承されコイルバネ４５２の引張り力によりその先端である規制爪部４６７が図１３に示す第２のメダル案内経路３１２内へ突出する側へ常時付勢される。
【０１４５】
図７に示すフラッパータイプソレノイド１４３の電磁石４５３は、図３に示す主制御基板２０からの制御信号に従ってオンオフし、オンすることで生じる磁力により前記メダルブロッカ４５１を引き付けその規制爪部４６７を図１３に示す第２のメダル案内経路３１２から退避させる。
【０１４６】
案内レバー５０５は、ゲートプレート３０２に対して回動自在に軸支されその軸部に巻回されたコイルバネ５０７によって常時メダルブロッカ４５１側へ付勢される。
【０１４７】
スロットマシン１が電源オフの時、又は遊技が進行中で新たなメダルの受け付けを禁止する状態においては、電磁石４５３はオフの状態にあり、メダルブロッカ４５１の規制爪部４６７がケース３０１に形成された開口４４０を通して第２のメダル案内経路３１２内へ突出する。同時に案内レバー５０５は、コイルバネ５０７の付勢力によりメダルブロッカ４５１に当接すると共に、メダルブロッカ４５１の付勢力に負けて第２のメダル案内経路３１２の外方側の回動位置に押し出され静止する。この状態において、メダルがゲート機構３３２に投入されると、当該メダルはメダルブロッカ４５１の規制爪部４６７に衝突してゲートプレート３０２の傾斜壁部５１５へ倒され、転送レール部５１１から脱落する。これにより、当該メダルはメダル排除口３２１を介して下方へ排除される。
【０１４８】
以下、メダルセンサ１４１について詳細に説明する。
【０１４９】
図１３において、メダルセンサ１４１の第１の反射式フォトセンサ４７１は、前記第２のメダル案内経路３１２内に向けて光を照射する発光部４７１ａと当該第２のメダル案内経路３１２内を通過するメダルから反射した光を受光する受光部４７１ｂを有している。
【０１５０】
メダルセンサ１４１の第２の反射式フォトセンサ４７２は、発光部４７１ａより下流の位置で前記第２のメダル案内経路３１２内に向けて光を照射する発光部４７２ａと第２のメダル案内経路３１２内を通過するメダルから反射した光を受光する受光部４７２ｂを有している。
【０１５１】
第１及び第２の反射式フォトセンサ４７１、４７２は、それぞれ所定の周期で変調したパルス光を発光部４７１ａ、４７２ａの発光素子が周期的に発光し、その信号と同期する反射光を受光部４７１ｂ、４７２ｂの受光素子が受光した場合のみ検知動作する、いわゆるパルス変調方式が採用されている。
【０１５２】
メダルセンサ１４１は、前記ゲート機構３３２により通されたメダルが第１及び第２の反射式フォトセンサ４７１、４７２の発光部４７１ａ、４７２ａ及び受光部４７１ｂ、４７２ｂに対向するエリアを横切ると、メダル検出信号を主制御基板２０へ送出する。そして、主制御基板２０は、第１及び第２の反射式フォトセンサ４７１、４７２からの前記メダル検出信号をカウントすることでスロットマシン１のメダル投入口７２に投入された正規メダルの枚数を知ることができる。さらに、主制御基板２０は、第１及び第２の反射式フォトセンサ４７１、４７２からの前記メダル検出信号の時間差を検出することでメダル詰まり等のトラブルや不正行為を検出している。
【０１５３】
以下、ケース３０１の正面側について説明する。
【０１５４】
図１０において、ケース３０１の正面側で、フラッパータイプソレノイド１４２の電磁石２５３、フラッパータイプソレノイド１４３の電磁石４５３、第１及び第２の反射式フォトセンサ４７１、４７２からそれぞれ伸び出すハーネス４９１、４９２、４９３、４９４は、ベルト４９５により纏められ、案内面部４３１の正面側に形成されたハーネス保持部４９６に保持された状態でケース３０１から延出する。ケース３０１から延出したハーネス４９１、４９２、４９３、４９４は、一個のハーネス側コネクタ４９７に接続する。ハーネス側コネクタ４９７は、図２に示す中央表示基板３３の基板側コネクタと接続することで主制御基板２０に電気的に接続する。
【０１５５】
以下、メダル投入部７１と下流側メダル選別装置３４によるメダル選別動作について詳細に説明する。
【０１５６】
図１４はスロットマシン１に使用するメダルとして直径が３０mmの大径メダル７０１を選択した状態でメダル投入口７２に大径メダル７０１が投入された場合の動作を背面側から見た状態で示す説明図である。
【０１５７】
図１５（ａ）はスロットマシン１に使用するメダルとして前記の大径メダル７０１を選択した状態でメダル投入口７２に大径メダル７０１が投入された場合のメダルブロッカ２５１の動作を上側から見た状態で示す説明図である。
【０１５８】
図１５（ｂ）はスロットマシン１に使用するメダルとして前記の大径メダル７０１を選択した状態でメダル投入口７２に直径が２５mmの小径メダル７０２が投入された場合のメダルブロッカ２５１の動作を上側から見た状態で示す説明図である。
【０１５９】
まず、スロットマシン１に使用するメダルとして直径が３０mmの大径メダル７０１を選択する場合の動作を説明する。
【０１６０】
スロットマシン１に使用するメダルとして大径メダル７０１を選択する場合、作業者は、図２に示すメダル切換スイッチ８３を操作して大径メダル７０１を選択する。これにより、図３に示す主制御基板２０のメインＣＰＵ１２０は、モータ駆動回路１２４を制御して図５に示す回転軸２２４を正面側から見て右回りに回転させ、大径メダル停止レバー２２０を図１３に示すように第１の第１のメダル案内経路２１３から退避させる。
【０１６１】
また、主制御基板２０のメインＣＰＵ１２０は、ソレノイド駆動回路１２３を制御してメダルブロッカ２５１（図１１参照）の規制爪部２７７を第２のメダル案内経路３１２（図１３参照）へ突出させる。
【０１６２】
スロットマシン１（図１参照）のメダル投入口７２に大径メダル７０１が投入されると、図１３に示すように、メダル投入部７１の第１のメダル案内経路２１３を下方向Ａへ流下して下流側メダル選別装置３４のメダル入口３１１へ案内される。メダル入口３１１から下流側メダル選別装置３４内部の第２のメダル案内経路３１２へ案内された大径メダル７０１は、下方向Ｂへ流下してセレクト機構３２２において、一対の外径規制爪５１２、５１３からなる最大径規制手段、及びシックネススクリュ４３９からなる板厚規制手段を経由することにより、一定以下の外径及び厚みを有するメダルのみが次段の大径メダル対応最小径規制手段の転送レール部５１１へ落下する。このとき、速度緩和機構３３１のスイングレバー５０４の先端が大径メダル７０１に当接しながら回動することで、セレクト機構３２２を落下する大径メダル７０１の速度が緩和される。
【０１６３】
転送レール部５１１に落下した大径メダル７０１は、当該転送レール部５１１に沿って左斜め下方向Ｃに方向転換し、図１４に示すセレクト機構３２２の大径メダル摺接部５２０側へ流下し、図１５(ａ)に示すようにメダルブロッカ２５１の規制爪部２７７の付勢力によりゲートプレート３０２側へ押し付けられる。ここで図１４に示すようにゲートプレート３０２の転送レール部５１１から切欠き５１４の上縁の大径メダル摺接部５２０までの距離は正規の大径メダル７０１の外径よりも若干短く形成されているので、正規の外径を有する大径メダル７０１はメダルブロッカ２５１の規制爪部２７７とゲートプレート３０２の大径メダル摺接部５２０により挟まれながら転送レール部５１１を流下する。
【０１６４】
一方、この状態で大径メダル対応最小径規制手段に小径メダル７０２が投入されると、ゲートプレート３０２の切欠き５１４の大径メダル摺接部５２０が小径メダル７０２の上端よりも高く位置しているので、図１５（ｂ）に示すように小径メダル７０２はメダルブロッカ２５１により上部が切欠き５１４から押し出され、図７に示すゲートプレート３０２の傾斜壁部５１５へ倒される。また、図１３に示すメダル排除口３２１を形成する折曲部４３２（図７参照）は転送レール部５１１よりも若干高く位置しているので、メダルブロッカ２５１によって倒された小径メダル７０２は転送レール部５１１から脱落する。これにより、小径メダル７０２はメダル排除口３２１を介して下方向Ｄへ排除され図２に示すキャンセルシュート部材３６を介してメダル払出口６２から排出される。
【０１６５】
一方、前記セレクト機構３２２を通過した大径メダル７０１は、転送レール部５１１を流下してゲート機構３３２へ進入する。
【０１６６】
ここで、ゲート機構３３２は、主制御基板２０からの制御信号に従って第２のメダル案内経路３１２を流下する大径メダル７０１をメダルセンサ１４１側へ通過させるメダル受付許可状態と、大径メダル７０１をメダル排除口３２１から落下させて排除するメダル受付禁止状態とに遷移する。
【０１６７】
ゲート機構３３２がメダル受付許可状態にあるときには、電磁石４５３（図７参照）がオンし、その磁力によってメダルブロッカ４５１が引き付けられ、メダルブロッカ４５１の先端に形成されている規制爪部４６７（図７参照）が第２のメダル案内経路３１２から退避する。同時に、コイルバネ５０７により常時付勢されている案内レバー５０５は、ケース３０１の案内面部４３１に当接し、ゲートプレート３０２に対してほぼ平行な回動位置に静止している。すなわち、メダル受付許可状態においては、ゲートプレート３０２の切欠き部分が案内レバー５０５で閉塞されるので、図１３に示すゲート機構３３２に進入した大径メダル７０１は、ケース３０１の案内面部４３１と案内レバー５０５とにより案内されながらゲート機構３３２を通過し、次段のメダルセンサ１４１へ流下してメダルセンサ１４１で検出が行われる。ここで、メダルセンサ１４１は、大径メダル７０１が発光部４７１ａ、４７２ａ及び受光部４７１ｂ、４７２ｂに対向するエリアを横切ると、メダル検出信号を主制御基板２０へ送出する。そして、主制御基板２０は、メダルセンサ１４１からの前記メダル検出信号をカウント受信し、これをカウントして内部貯留しているメダル数であるクレジット数に加算する。メダルセンサ１４１で検出が行われた大径メダル７０１は、メダル出口３１３から左斜め下方向Ｅへ排出され、図２に示すガイド部材３５を介してホッパ装置２１のメダル収納部２６に貯留される。
【０１６８】
次に、リール１０１ａ、１０１ｂ、１０１ｃ（図３参照）の回転中や、入賞役のリプレイに当選した場合等、スロットマシン１が新たなメダルの受付を禁止する状態、即ちメダル受付禁止状態におけるゲート機構３３２の動作を説明する。
【０１６９】
図１３に示すゲート機構３３２がメダル受付禁止状態にあるときには、主制御基板２０（図３参照）はフラッパータイプソレノイド１４３の電磁石４５３（図７参照）に対しては駆動電流を供給せず、電磁石４５３がオフし、コイルバネ４５２（図７参照）の引張り力によってメダルブロッカ４５１の規制爪部４６７（図７参照）は第２のメダル案内経路３１２内へ突出する。また、案内レバー５０５は、当該メダルブロッカ４５１と当接しながらゲートプレート３０２の外方側へ押し出される。
【０１７０】
なお、図７に示す規制爪部４６７は、第２のメダル案内経路３１２の上流側隅部が斜めに切除された形状に形成されている。このため、第２のメダル案内経路３１２内へ突出する規制爪部４６７に大径メダル７０１が衝突すると、当該大径メダル７０１はゲートプレート３０２の開放された傾斜壁部５１５へ倒される。そして、傾斜壁部５１５へ倒された大径メダル７０１は、メダル排除口３２１から下方のキャンセルシュート部材３６（図３参照）側へ排除される。
【０１７１】
次に、スロットマシン１に使用するメダルとして直径が２５mmの小径メダル７０２を選択する場合の動作を説明する。
【０１７２】
図１６はスロットマシン１に使用するメダルとして直径が２５mmの小径メダル７０２を選択した状態でメダル投入口７２に小径メダル７０２が投入された状態におけるメダル投入部７１及び下流側メダル選別装置３４の一部切り欠いて示す背面図である。図１７はスロットマシン１に使用するメダルとして小径メダル７０２を選択した状態でメダル投入口７２に小径メダル７０２が投入された場合の動作を背面側から見た状態で示す説明図である。図１８はスロットマシン１に使用するメダルとして小径メダル７０２を選択した状態でメダル投入口７２に小径メダル７０２が投入された場合のメダルブロッカ２５１の動作を上側から見た状態で示す説明図である。
【０１７３】
スロットマシン１に使用するメダルとして図１６に示す小径メダル７０２を選択する場合、作業者は、図２に示すメダル切換スイッチ８３を操作して小径メダル７０２（図１６参照）を選択する。これにより、図３に示す主制御基板２０のメインＣＰＵ１２０は、モータ駆動回路１２４を制御して図５に示す回転軸２２４を正面側から見て左回りに回転させ、図１６に示すように、レバー検出センサ２１５が大径メダル停止レバー２２０の突起部２３３を検出する位置で停止させる。これにより係止部２３２が第１のメダル案内経路２１３に約５mm突出した位置でレバー検出センサ２１５に検出される。この状態では、係止部２３２の先端から前扉３の正面側から見て右側の案内経路形成部２１１までの幅は、小径メダル７０２の直径より僅かに大きい約２６mmとなり、小径メダル７０２は第１のメダル案内経路２１３を通過できるが大径メダル７０１は第１のメダル案内経路２１３の途中で停止する。
【０１７４】
また、図３に示す主制御基板２０のメインＣＰＵ１２０は、ソレノイド駆動回路１２３を制御して図１１に示すメダルブロッカ２５１の規制爪部２７７を第２のメダル案内経路３１２（図１６参照）から退避させる。
【０１７５】
図１６に示すように、メダル投入口７２に小径メダル７０２が投入されると、メダル投入部７１の第１のメダル案内経路２１３を下方向Ａへ流下して大径メダル停止レバー２２０の係止部２３２の横を通過して下流側メダル選別装置３４のメダル入口３１１へ案内される。メダル入口３１１から下流側メダル選別装置３４内部の第２のメダル案内経路３１２へ案内された小径メダル７０２は、下方向Ｂへ流下して、セレクト機構３２２において、一定以下の厚みを有するメダルのみが次段の大径メダル対応最小径規制手段の転送レール部５１１へ落下する。このとき、速度緩和機構３３１のスイングレバー５０４の先端が小径メダル７０２に当接しながら回動することで、セレクト機構３２２を落下する小径メダル７０２の速度が緩和される。
【０１７６】
転送レール部５１１に落下した小径メダル７０２は、当該転送レール部５１１に沿って左斜め下方向Ｃに方向転換し、図１７に示すセレクト機構３２２の大径メダル摺接部５２０の下方へ流下する。ここで、ゲートプレート３０２の転送レール部５１１から切欠き５１４の上縁の大径メダル摺接部５２０までの距離は正規の小径メダル７０２の外径よりも若干長く形成されているので、大径メダル摺接部５２０が小径メダル７０２を支えることはないが、案内面部４３１の小径メダル７０２に接触する面は、上述したように若干斜め上方に向いているとともに、図１８に示すようにメダルブロッカ２５１の規制爪部２７７が第２のメダル案内経路３１２から退避して小径メダル７０２を押圧しない状態になっているので、小径メダル７０２は図１６に示すセレクト機構３２２の転送レール部５１１を転落することなく流下する。
【０１７７】
セレクト機構３２２を通過した小径メダル７０２は、さらに転送レール部５１１を流下してゲート機構３３２へ進入する。ゲート機構３３２は、主制御基板２０からの制御信号に従って第２のメダル案内経路３１２を流下する小径メダル７０２をメダルセンサ１４１側へ通過させるメダル受付許可状態と、小径メダル７０２をメダル排除口３２１から落下させて排除するメダル受付禁止状態とに遷移し、ゲート機構３３２とメダルセンサ１４１によって前述の大径メダル７０１に処理が行われる。即ち、メダル受付許可状態では、小径メダル７０２がメダルセンサ１４１へ流下してメダルセンサ１４１で検出が行われる。
【０１７８】
メダルセンサ１４１で検出が行われた小径メダル７０２は、メダル出口３１３から左斜め下方向Ｅへ排出され、図２に示すガイド部材３５を介してホッパ装置２１のメダル収納部２６に貯留される。
【０１７９】
メダル受付禁止状態では、図１６に示すゲート機構３３２により小径メダル７０２が傾斜壁部５１５へ倒され、傾斜壁部５１５へ倒された小径メダル７０２は、折曲部４３２と転送レール部５１１との高低差により形成されるメダル排除口３２１を介して下方向Ｄへ排除され図２に示すキャンセルシュート部材３６を介してメダル払出口６２から排出される。
【０１８０】
図１９及び図２０はスロットマシン１に使用するメダルとして小径メダル７０２を選択した状態でメダル投入口７２に大径メダル７０１が投入される場合のメダル投入部７１の動作を示す説明図であり、図１９（ａ）はメダル投入口７２に大径メダル７０１が投入される前の状態を示し、図１９（ｂ）はメダル投入口７２に投入された大径メダル７０１が大径メダル停止レバー２２０の係止部２３２に係止した状態を示し、図１９（ｃ）はメダル投入口７２に投入された大径メダル７０１が大径メダル停止レバー２２０の係止部２３２により押し上げられた状態を示し、図２０は大径メダル７０１をメダルキャンセル通路２１０へ転落させた後の状態を示している。
【０１８１】
スロットマシン１に使用するメダルとして小径メダル７０２を選択した状態では、係止部２３２の先端から前扉３の正面側から見て右側の案内経路形成部２１１の幅は、図１９（ａ）に示すように、大径メダル７０１より小さい幅になっているので、メダル投入口７２に大径メダル７０１が投入されると、大径メダル７０１は図１９（ｂ）に示すように係止部２３２に係止して停止する。この係止位置で、大径メダル７０１が滞留検出センサ２１６により所定時間（例えば２秒）以上検出されると、主制御基板２０（図３参照）のメインＣＰＵ１２０（図３参照）は、モータ駆動回路１２４（図３参照）を制御して大径メダル停止レバー２２０を正面側から見て左回りに回転させ、図１９（ｃ）に示すように大径メダル停止レバー２２０の係止部２３２が大径メダル７０１を押し上げ、図２０に示すように大径メダル７０１をメダルキャンセル通路２１０へ転落させる。メダルキャンセル通路２１０へ転落した大径メダル７０１は、上部がメダルキャンセル通路２１０から露出するので、遊技者により容易に取り出し可能になる。この後、主制御基板２０のメインＣＰＵ１２０は、モータ駆動回路１２４を制御して大径メダル停止レバー２２０を正面側から見て右回りに回転させ、レバー検出センサ２１５が大径メダル停止レバー２２０の突起部２３３を検出する位置で停止させる。
【０１８２】
さらに、主制御基板２０のメインＣＰＵ１２０は、大径メダル７０１が滞留検出センサ２１６により所定時間（例えば２秒）以上検出された場合、サブ制御基板４０を制御して演出用放音部４４ａ、４４ｂ、６３ａ、６３ｂ（図１参照）のスピーカ３２ａ、３２ｂ、３８ａ、３８ｂ（図２参照）、液晶表示装置４６（図１参照）等の演出装置から前記大径メダル７０１が滞留した旨を映像や音声により報知する。
【０１８３】
このような構成及び動作を纏めて説明すると、大径メダル７０１及び小径メダル７０２は、直径が異なる複数種類のメダルになっている。
【０１８４】
スロットマシン１は、直径が異なる複数種類のメダルを選択的に使用可能な遊技機になっている。
【０１８５】
メダル投入部７１と下流側メダル選別装置３４は、選択して使用する直径の適正な前記メダルだけしかホッパ装置２１のメダル収納部２６に収容されないように当該メダルを当該メダル収納部２６に導くメダル選別装置になっている。
【０１８６】
メダル投入部７１の第１のメダル案内経路２１３及び下流側メダル選別装置３４の第２のメダル案内経路３１２は、メダル投入口７２から投入された前記メダルを前記メダル収納部２６に案内する。
【０１８７】
大径メダル停止レバー２２０は、前記第１のメダル案内経路２１３に突出して所定の直径以上の大径メダル７０１を停止させる大径メダル停止部材になっている。
【０１８８】
主制御基板２０のメインＣＰＵ１２０及びモータ駆動回路１２４は、前記所定の直径より小さい小径メダル７０２の使用が選択された場合、前記大径メダル７０１を前記第１のメダル案内経路２１３の所定の位置に停止させるとともに、前記小径メダル７０２を通過させるために前記大径メダル停止レバー２２０を前記第１のメダル案内経路２１３に突出させ、前記大径メダル７０１の使用が選択された場合、前記大径メダル停止レバー２２０を前記第１のメダル案内経路２１３から退避させる大径メダル停止部材駆動手段になっている。
【０１８９】
フラッパータイプソレノイド１４２は、前記大径メダル７０１の使用が選択された場合、前記小径メダル７０２を前記第２のメダル案内経路３１２から排除する小径メダル排除手段になっている。
【０１９０】
メダル払出口６２は、前記メダルを返却する返却口としての機能を有する。
メダル排除口３２１及びキャンセルシュート部材３６は、前記第２のメダル案内経路３１２に接続され、使用が選択されなかった前記メダルをメダル払出口６２に案内するメダル排除経路になっている。
【０１９１】
前記フラッパータイプソレノイド１４２のメダルブロッカ２５１は、前記第２のメダル案内経路３１２と前記メダル排除口３２１との接続箇所に設けられ、当該メダルブロッカ２５１の規制爪部２７７を前記第２のメダル案内経路３１２に突出させて当該第２のメダル案内経路３１２を通過する前記小径メダル７０２を前記メダル排除口３２１に排除する小径メダル排除部材になっている。
【０１９２】
主制御基板２０のメインＣＰＵ１２０及びソレノイド駆動回路１２３と、前記フラッパータイプソレノイド１４２のソレノイド本体２５０及びコイルバネ２５２とは、前記小径メダル７０２の使用が選択された場合、前記メダルブロッカ２５１の規制爪部２７７を前記第２のメダル案内経路３１２から退避させ、前記大径メダル７０１の使用が選択された場合、前記メダルブロッカ２５１の規制爪部２７７を前記第２のメダル案内経路３１２に突出させる小径メダル排除部材駆動手段になっている。
【０１９３】
大径メダル摺接部５２０は、前記第２のメダル案内経路３１２と前記メダル排除口３２１との接続箇所に設けられ、前記大径メダル７０１の使用が選択された場合、前記大径メダル７０１の前記前記メダル排除口３２１への移動を防止する大径メダル保護部材となっている。
【０１９４】
メダル投入部７１のメダルキャンセル通路２１０は、前記第１のメダル案内経路２１３に接続されている。
前記大径メダル停止レバー２２０は、前記小径メダル７０２の使用が選択された場合、停止させた前記大径メダル７０１を前記メダルキャンセル通路２１０に案内する。
【０１９５】
滞留検出センサ２１６は、前記大径メダル停止レバー２２０による前記大径メダル７０１の停止位置で当該大径メダル７０１が滞留したことを検出する。
【０１９６】
サブ制御基板４０及び演出装置５０は、前記滞留検出センサ２１６の出力信号に基づいて、前記大径メダル７０１が滞留した旨を報知する報知手段になっている。
【０１９７】
スロットマシン１に使用するメダルとして直径が３０mmの大径メダル７０１を選択した場合、メダル受付許可状態においてメダル投入口７２に投入された大径メダル７０１は、メダルセンサ１４１を横切ってメダル出口３１３へ到達し、上述したホッパ装置２１の前記メダル収納部２６へ案内され貯留され、メダル投入口７２に投入された小径メダル７０２は、メダルセンサ１４１に到達することなくメダル排除口３２１から落下し、キャンセルシュート部材３６を介してメダル払出口６２から排出される。
【０１９８】
スロットマシン１に使用するメダルとして直径が２５mmの小径メダル７０２を選択した場合、メダル受付許可状態においてメダル投入口７２に投入された小径メダル７０２は、メダルセンサ１４１を横切ってメダル出口３１３へ到達し、上述したホッパ装置２１の前記メダル収納部２６へ案内され貯留され、メダル投入口７２に投入された大径メダル７０１は、大径メダル停止レバー２２０の係止部２３２に係止して停止し、所定時間経過後、大径メダル停止レバー２２０によりメダルキャンセル通路２１０へ転落させられる。
また、大径メダル７０１が大径メダル停止レバー２２０の係止部２３２に係止して停止し、この状態で所定時間経過した場合には、演出装置５０が前記大径メダル７０１が滞留した旨を映像や音声により報知する。
【０１９９】
図１乃至図２０に示した本発明の実施形態のスロットマシン１によれば、大径メダル７０１及び小径メダル７０２の何れを使用しても遊技が行えるとともに、一本に続く第１及び第２のメダル案内経路２１３、３１２で前記大径メダル７０１及び前記小径メダル７０２の一方を選択して流下させることができるので、小型かつシンプルなメダル選別構造を採用でき、メダルを選別する部品の占める割合を低減し、その分ランプやスピーカ等の演出装置を搭載できるスペースを増大させることができる。
【０２００】
尚、図1乃至図２０に示した実施形態では、電動式のレバー駆動ユニット２１４を用いて選択的に大径メダル停止レバー２２０を第１のメダル案内経路２１３から退避及び当該第１のメダル案内経路２１３に突出させる動作を行っていたが、前記大径メダル停止レバー２２０を手動の操作部を用いて選択的に第１のメダル案内経路２１３から退避及び前記第１のメダル案内経路２１３に突出させるように構成してもよい。
【０２０１】
また、図1乃至図２０に示した実施形態では、小径メダル７０２の使用が選択された場合に、電磁石２５３を設けたソレノイド本体２５０で前記メダルブロッカ２５１の規制爪部２７７を前記第２のメダル案内経路３１２から退避させていたが、前記メダルブロッカ２５１の規制爪部２７７を手動の操作部を用いて前記第２のメダル案内経路３１２から退避させるように構成してもよい。
【０２０２】
また、図1乃至図２０に示した実施形態では、大径メダル停止レバー２２０をメダル投入部７１に設けたが、大径メダル停止レバーは下流側メダル選別装置３４に設けてもよく、さらにメダル投入部７１と下流側メダル選別装置３４の間にメダル案内経路を形成する別の部材を設けて、この別の部材に大径メダル停止レバーを設けてもよい。
【０２０３】
また、図1乃至図２０に示した実施形態は、大径メダル７０２の使用が選択された場合に小径メダルを排除するメダルブロッカ２５１を下流側メダル選別装置３４に設けたが、メダル投入部７１にメダルブロッカ２５１を設けるとともに当該メダルブロッカ２５１により排除された小径メダルを下方へ排除するメダル排除口を設けるように構成してもよく、さらにメダル投入部７１と下流側メダル選別装置３４の間にメダル案内経路を形成する別の部材を設けて、この別の部材に前記メダルブロッカ２５１及びメダル排除口を設けてもよい。
【０２０４】
さらに、図1乃至図２０に示した実施形態は、スロットマシンに限らず、メダルを使用するアレンジボール、雀球遊技機等の他の遊技機に応用することができる。
【図面の簡単な説明】
【０２０５】
【図１】図１は、本発明の実施形態によるスロットマシンの外観構造を表した斜視図である。
【図２】図２は、本発明の実施形態による外装用前扉を開放した状態におけるスロットマシン１の内部構造を表した図である。
【図３】図３は、本発明の実施形態によるスロットマシンの制御システムを表したブロック図である。
【図４】図４は、本発明の実施形態によるメダル投入部の前方右斜め上側から見た斜視図である。
【図５】図５は、本発明の実施形態によるメダル投入部の後方左斜め下側から見た斜視図である。
【図６】図６は、本発明の実施形態によるメダル投入部の右から見た断面図である。
【図７】図７は、本発明の実施形態による下流側メダル選別装置の分解斜視図である。
【図８】図８は、本発明の実施形態による下流側メダル選別装置からカバーを取り外した状態の左後方斜め上側から見た斜視図である。
【図９】図９は、本発明の実施形態による下流側メダル選別装置を組み立てた状態の右後方斜め上側から見た斜視図である。
【図１０】図１０は、本発明の実施形態による下流側メダル選別装置のケースの背面図である。
【図１１】図１１は、本発明の実施形態によるフラッパータイプソレノイド及びその周辺部の分解斜視図である。
【図１２】図１２は、本発明の実施形態によるフラッパータイプソレノイド及びその周辺部の斜視図である。
【図１３】図１３は、本発明の実施形態によるメダル投入部及び下流側メダル選別装置の一部切り欠いて示す背面図である。
【図１４】図１４は、本発明の実施形態によるスロットマシンにおいて使用するメダルとして大径メダルを選択した状態でメダル投入口に大径メダルが投入された場合の動作を背面側から見た状態で示す説明図である。
【図１５】図１５は、本発明の実施形態によるスロットマシンにおいて使用するメダルとして大径メダルを選択した状態でのメダルブロッカの動作を示す説明図である。
【図１６】図１６は、本発明の実施形態によるスロットマシンにおいて使用するメダルとして小径メダルを選択した状態でメダル投入口に小径メダルが投入された状態におけるメダル投入部及び下流側メダル選別装置の一部切り欠いて示す背面図である。
【図１７】図１７は、本発明の実施形態によるスロットマシンにおいて使用するメダルとして小径メダルを選択した状態でメダル投入口に小径メダルが投入された場合の動作を背面側から見た状態で示す説明図である。
【図１８】図１８は、本発明の実施形態によるスロットマシンにおいて使用するメダルとして小径メダルを選択した状態でメダル投入口に小径メダルが投入された場合のメダルブロッカの動作を上側から見た状態で示す説明図である。
【図１９】図１９は、本発明の実施形態によるスロットマシンにおいて使用するメダルとして小径メダルを選択した状態でメダル投入口に大径メダルが投入される場合のメダル投入部の動作を示す説明図である。
【図２０】図２０は、本発明の実施形態によるメダル投入部が大径メダルをメダルキャンセル通路へ転落させた後の状態を示す説明図である。
【符号の説明】
【０２０６】
１…スロットマシン、２…筐体、３…前扉、４…上部パネル部、
５…下部パネル部、６…メダル受皿部、７…操作卓、８…開口、
２０…主制御基板、２１…ホッパ装置、２２…補助貯留部、
２３…主電源装置、２４…電源装置基板、２５…メダル排出口、
２６…メダル収納部、２７…外部集中端子基板、３０…発光駆動部、
３２ａ、３２ｂ…スピーカ、３３…中央表示基板、
３４…下流側メダル選別装置、３５…ガイド部材、
３６…キャンセルシュート部材、３７…ガイド部材、
３８ａ、３８ｂ…スピーカ、４０…サブ制御基板、４１…パネル面、
４２…表示窓、４３…演出用照明部、４４ａ、４４ｂ…演出用放音部、
４５…表示窓、４６…液晶表示装置、４７…パネル板、
５１…表示パネル、６１…メダル受皿、６２…メダル払出口、
６３ａ、６３ｂ…左右の演出用放音部、７１…メダル投入部、
７２…メダル投入口、７３、７４…ベットボタン、
７５…スタートレバー、７６ａ、７６ｂ、７６ｃ…ストップボタン、
７７…精算ボタン、７８…鍵穴、８０、９０…基板ケース、
８１、８２…左右のブラケット部材、８３…メダル切換スイッチ、
８４…保持具、１００…リールユニット、
１０１ａ、１０１ｂ、１０１ｃ…リール、１１０…リール基板、
１２０…メインＣＰＵ、１２１…記憶部、
１２２…Ｉ／Ｆ回路、１２３…ソレノイド駆動回路、
１２４…モータ駆動回路、１３１…プログラムＲＯＭ、
１３２…制御ＲＡＭ、１４１…メダルセンサ、
１４２、１４３…フラッパータイプソレノイド、
２０１…本体部、２０２…背面蓋部、２０３…背面側板状部、
２０４…ガイド部、２０５…隙間、２０６…右側延設部、
２０７、２０９…隙間、２０８…キャンセル経路形成部、
２１０…メダルキャンセル通路、２１１…案内経路形成部、
２１２…隙間、２１３…第１のメダル案内経路、
２１４…レバー駆動ユニット、２１５…レバー検出センサ、
２１６…滞留検出センサ、２１８…段部、２１９…ネジ、
２２０…大径メダル停止レバー、２２１…モータ、
２２２…ギアボックス、２２３…ハーネス、２２４…回転軸、
２２５、２３０…貫通孔、２２６…隙間、２２７、２２８…ハーネス、
２３１…軸取付部、２３２…係止部、２３３…突起部、
２３４、２３５…貫通孔、２３６、２３７…ネジ止め部、
２５０…ソレノイド本体、２５１…メダルブロッカ、
２５２…コイルバネ、２５３…電磁石、２５４…プレート部材、
２５５…平面部、２５６…電磁コイル、
２５７…ボビン、２５８…鉄芯、２５９…突起部、
２６１…平面部、２６２…ネジ止め部、２６３…平面部、
２６４…ネジ挿通孔、２７１…フック、２７２…突起部、
２７３…フック、２７５…切り欠き、２７６…規制片、
２７７…規制爪部、２８１…ネジ、３０１…ケース、
３０２…ゲートプレート、３０３…カバー、３１１…メダル入口、
３１２…第２のメダル案内経路、３１３…メダル出口、
３２１…メダル排除口、
３２２…セレクト機構、３３１…速度緩和機構、３３２…ゲート機構、
４００…部品取付部、４０１、４０２、４０３…壁部、
４１１、４１２、４２１、４２２…突起部、４３１…案内面部、
４３２…折曲部、４３３…傾斜面部、４３４…折曲部、
４３５…垂直面部、４４０…収納部、４４１…ネジ、
４４２…ネジ止め部、４４３…スリット、４５０…ソレノイド本体、
４５１…メダルブロッカ、４５２…コイルバネ、４５３…電磁石、
４５４…プレート部材、４５５…平面部、４５６…平面部、
４５７…電磁コイル、４５８…ボビン、４５９…鉄芯、
４６０…突起部、４６１…フック、４６２…突起部、４６３…フック、
４６５…切り欠き、４６６…規制片、４６７…規制爪部、４７０…開口、
４７１、４７２…反射式フォトセンサ、４７１ａ、４７２ａ…発光部、
４７１ｂ、４７２ｂ…受光部、
４９１、４９２、４９３、４９４…ハーネス、４９５…ベルト、
４９６…ハーネス保持部、４９７…ハーネス側コネクタ、
５０１…本体、５０２…軸部、５０３…コイルバネ、
５０４…スイングレバー、５０５…案内レバー、
５０６、５０７…コイルバネ、５０８…爪部、５１０…軸部、
５１１…転送レール部、５１２、５１３…外径規制爪、
５１４…切欠き、５１５…傾斜壁部、５１６…案内面部、
５２０…大径メダル摺接部、７０１…大径メダル、
７０２…小径メダル
【図１】
2009268812.tif 000003
【図２】
2009268812.tif 000004
【図３】
2009268812.tif 000005
【図４】
2009268812.tif 000006
【図５】
2009268812.tif 000007
【図６】
2009268812.tif 000008
【図７】
2009268812.tif 000009
【図８】
2009268812.tif 000010
【図９】
2009268812.tif 000011
【図１０】
2009268812.tif 000012
【図１１】
2009268812.tif 000013
【図１２】
2009268812.tif 000014
【図１３】
2009268812.tif 000015
【図１４】
2009268812.tif 000016
【図１５】
2009268812.tif 000017
【図１６】
2009268812.tif 000018
【図１７】
2009268812.tif 000019
【図１８】
2009268812.tif 000020
【図１９】
2009268812.tif 000021
【図２０】
2009268812.tif 000022